(57)【特許請求の範囲】
【請求項１】
（ａ）本体部に配設され、ハウジング内に像担持体を備えた画像形成ユニットと、
（ｂ）前記本体部に対して回転支点を中心にして回動自在に配設されたトップカバーと、
（ｃ）該トップカバーから突出させて配設され、支持部材、該支持部材に対して揺動自在に支持された露光装置、及び前記支持部材と前記露光装置との間に配設された付勢部材を備えたヘッドホルダアッセンブリとを有するとともに、
（ｄ）前記付勢部材は、前記露光装置を、対応する画像形成ユニットの像担持体に向けて鉛直方向に、かつ、該鉛直方向に対して傾斜させ、前記対応する画像形成ユニットのハウジングに向けて傾斜方向に付勢することを特徴とする画像形成装置。
【請求項２】
（ａ）前記対応する画像形成ユニットのハウジングに、前記付勢部材の付勢方向を規制する規制部が形成されるとともに、
（ｂ）該規制部は、前記付勢部材における前記像担持体側の部分を変形させることによって、前記付勢部材の付勢方向を規制する請求項１に記載の画像形成装置。
【請求項３】
前記規制部が前記付勢部材における前記像担持体側の部分を変形させることによって、前記付勢部材に、前記傾斜方向に延在させられる傾斜部位、及び鉛直方向に延在させられる鉛直部位が形成される請求項１又は２に記載の画像形成装置。
【請求項４】
（ａ）本体部に配設され、画像を形成するための画像形成ユニットと、
（ｂ）前記本体部に対して回転支点を中心にして回動自在に配設されたトップカバーと、
（ｃ）該トップカバーから突出させて配設され、支持部材、該支持部材に対して揺動自在に支持された露光装置、及び前記支持部材と前記露光装置との間に配設された付勢部材を備えたヘッドホルダアッセンブリとを有するとともに、
（ｄ）前記支持部材は、前記付勢部材を保持する付勢部材保持部を備え、
（ｅ）該付勢部材保持部は、前記像担持体より前記回転支点に近い部材に向けて傾斜させて形成され、
（ｆ）前記付勢部材は、前記露光装置を、対応する画像形成ユニットの像担持体に向けて、かつ、対応する画像形成ユニットの像担持体における露光装置と対向する面に向けて付勢することを特徴とする画像形成装置。
【請求項５】
（ａ）前記像担持体より前記回転支点に近い位置に配設された現像剤担持体を有するとともに、
（ｂ）前記付勢部材保持部は、前記像担持体より近い前記現像剤担持体に向けて傾斜させて形成される請求項４に記載の画像形成装置。
【発明の詳細な説明】
【技術分野】
【０００１】
本発明は、画像形成装置に関するものである。
【背景技術】
【０００２】
従来、プリンタ、複写機、ファクシミリ、複合機、画像読取装置等の画像処理装置である画像形成装置、例えば、電子写真式のプリンタには、画像形成ユニット、露光装置としてのＬＥＤヘッド、転写ローラ、定着器等が配設され、画像形成ユニットにおいて、一様に帯電させられた感光体ドラムの表面がＬＥＤヘッドによって露光されて静電潜像が形成され、該静電潜像が現像ローラによって現像されてトナー像が形成され、該トナー像が転写ローラによって用紙に転写され、トナー像が転写された用紙が定着器に送られ、該定着器においてトナー像が用紙に定着させられるようになっている。
【０００３】
ところで、ＬＥＤヘッドは、複数の部品から成る付勢部材による付勢力を受けて、位置決め部に当接させられ、感光体ドラムに対して位置決めされるようになっている（例えば、特許文献１参照。）。
【先行技術文献】
【特許文献】
【０００４】
【特許文献１】特開２０１２−６８５６８号公報
【発明の概要】
【発明が解決しようとする課題】
【０００５】
しかしながら、前記従来のプリンタにおいては、付勢部材を構成する部品点数が多いので、ＬＥＤヘッドをプリンタに実装する際の作業が煩わしい。
【０００６】
本発明は、前記従来のプリンタの問題点を解決して、露光装置を容易に実装することができる画像形成装置を提供することを目的とする。
【課題を解決するための手段】
【０００７】
そのために、本発明の画像形成装置においては、本体部に配設され、ハウジング内に像担持体を備えた画像形成ユニットと、前記本体部に対して回転支点を中心にして回動自在に配設されたトップカバーと、該トップカバーから突出させて配設され、支持部材、該支持部材に対して揺動自在に支持された露光装置、及び前記支持部材と前記露光装置との間に配設された付勢部材を備えたヘッドホルダアッセンブリとを有する。
【０００８】
そして、前記付勢部材は、前記露光装置を、対応する画像形成ユニットの像担持体に向けて鉛直方向に、かつ、該鉛直方向に対して傾斜させ、前記対応する画像形成ユニットのハウジングに向けて傾斜方向に付勢する。
【発明の効果】
【０００９】
本発明によれば、画像形成装置においては、本体部に配設され、ハウジング内に像担持体を備えた画像形成ユニットと、前記本体部に対して回転支点を中心にして回動自在に配設されたトップカバーと、該トップカバーから突出させて配設され、支持部材、該支持部材に対して揺動自在に支持された露光装置、及び前記支持部材と前記露光装置との間に配設された付勢部材を備えたヘッドホルダアッセンブリとを有する。
【００１０】
そして、前記付勢部材は、前記露光装置を、対応する画像形成ユニットの像担持体に向けて鉛直方向に、かつ、該鉛直方向に対して傾斜させ、前記対応する画像形成ユニットのハウジングに向けて傾斜方向に付勢する。
【００１１】
この場合、支持部材と露光装置との間に付勢部材を配設するだけで、露光装置が、対応する画像形成ユニットの像担持体に向けて鉛直方向に、かつ、該鉛直方向に対して傾斜させ、前記対応する画像形成ユニットのハウジングに向けて傾斜方向に付勢されるので、付勢部材を構成する部品点数を少なくすることができ、露光装置を容易に実装することができる。
【００１２】
また、支持部材に対して露光装置が揺動自在に支持されるので、トップカバーを回動させたときの露光装置の軌跡の径を小さくすることができる。したがって、画像形成装置を小型化することができる。
【図面の簡単な説明】
【００１３】
【図１】本発明の実施の形態におけるトップカバーを回動させたときのヘッドホルダアッセンブリの状態を示す図である。
【図２】本発明の実施の形態におけるプリンタの斜視図である。
【図３】本発明の実施の形態におけるプリンタの概念図である。
【図４】本発明の実施の形態におけるトップカバーを開いたときのプリンタの斜視図である。
【図５】本発明の実施の形態におけるトップカバーの要部斜視図である。
【図６】本発明の実施の形態におけるヘッドホルダアッセンブリの斜視図である。
【図７】本発明の実施の形態における各ヘッドホルダアッセンブリが対応する画像形成ユニットにセットされた状態を示す図である。
【図８】本発明の実施の形態におけるトップカバーが閉じられたときのヘッドホルダアッセンブリの状態を示す第１の図である。
【図９】本発明の実施の形態におけるトップカバーが閉じられたときのヘッドホルダアッセンブリの状態を示す第２の図である。
【図１０】トップカバーを回動させたときのヘッドホルダアッセンブリの状態を示す参考図である。
【図１１】本発明の実施の形態におけるハウジングに形成された規制突起の例を示す図である。
【発明を実施するための形態】
【００１４】
以下、本発明の実施の形態について図面を参照しながら詳細に説明する。この場合、画像形成装置としてのプリンタについて説明する。
【００１５】
図２は本発明の実施の形態におけるプリンタの斜視図、図３は本発明の実施の形態におけるプリンタの概念図である。
【００１６】
図において、１０はプリンタ、Ｃｓは該プリンタ１０の筐体であり、該筐体Ｃｓは、前壁Ｗｆ、背壁Ｗｒ、第１、第２の側壁Ｗｓ１、Ｗｓ２及び頂壁Ｗｔから成る。そして、プリンタ１０は、本体部Ｑ１、該本体部Ｑ１に対して開閉自在に、かつ、回動自在に配設されたトップカバー４１、及び本体部Ｑ１の後端から後方に向けて突出させて配設され、図示されない給紙装置から給紙された媒体としての用紙、本実施の形態においては、ロール紙を搬送するフィーダユニットＦｄを備える。
【００１７】
前記トップカバー４１における前壁Ｗｆ側には、表示部ｄｓ及び操作部ｋｂが形成される。そして、前記前壁Ｗｆには、画像が形成された後のロール紙を排出する排出口ｈｅが形成される。
【００１８】
また、Ｒｔ１はロール紙を搬送するための媒体搬送路としての用紙搬送路、ｍ１は該用紙搬送路Ｒｔ１に配設され、ロール紙を搬送する第１の搬送ローラ対、ｍ２は前記用紙搬送路Ｒｔ１における第１の搬送ローラ対ｍ１より下流側に配設され、ロール紙を搬送する第２の搬送ローラ対、ｃｔは前記用紙搬送路Ｒｔ１における第２の搬送ローラ対ｍ２より下流側に配設され、所定の箇所でロール紙をカットするカッタ、ｍ３は前記用紙搬送路Ｒｔ１におけるカッタｃｔより下流側に配設され、フィーダユニットＦｄからプリンタ１０の本体、すなわち、装置本体内に供給されたロール紙を搬送する第３の搬送ローラ対である。
【００１９】
そして、Ｋａは、本体部Ｑ１において、前記用紙搬送路Ｒｔ１における第３の搬送ローラ対ｍ３より下流側に配設された画像形成部である。該画像形成部Ｋａは、用紙搬送路Ｒｔ１における上流側から下流側にかけて配設された複数の、本実施の形態においては、イエロー、マゼンタ及びシアンの３個の画像形成ユニット１２Ｙ、１２Ｍ、１２Ｃ、並びに該画像形成ユニット１２Ｙ、１２Ｍ、１２Ｃの下方に配設された転写ユニットｕ１を備える。
【００２０】
各画像形成ユニット１２Ｙ、１２Ｍ、１２Ｃは、回転自在に配設された像担持体としての感光体ドラム１３、該感光体ドラム１３と当接させて回転自在に配設され、感光体ドラム１３の表面を一様に帯電させる帯電装置としての帯電ローラ１４、前記感光体ドラム１３と当接させて回転自在に配設され、感光体ドラム１３の表面に形成された潜像としての静電潜像に現像剤としてのトナーを付着させ、可視像である各色の現像剤像としてのトナー像を形成する現像剤担持体としての現像ローラ１６、該現像ローラ１６と当接させて回転自在に配設され、トナーを現像ローラ１６に供給する現像剤供給部材としてのトナー供給ローラ１８、現像ローラ１６に圧接させて配設され、トナー供給ローラ１８から現像ローラ１６に供給されたトナーを薄層化する現像剤規制部材としての現像ブレード１９、前記トナー供給ローラ１８にトナーを供給する現像剤収容部としてのトナーカートリッジ２０、感光体ドラム１３上に残留したトナーを除去するクリーニング部材としてのクリーニングブレード２１等を備える。
【００２１】
前記各画像形成ユニット１２Ｙ、１２Ｍ、１２Ｃにおける感光体ドラム１３の上方には、露光装置としてのＬＥＤヘッド３０が配設される。該ＬＥＤヘッド３０は、制御部３１から送られた画像データに従って、感光体ドラム１３を露光し、静電潜像を形成する。
【００２２】
また、転写ユニットｕ１は、駆動ローラＲ１、従動ローラＲ２、駆動ローラＲ１と従動ローラＲ２とによって張設されたベルト３２、及び前記各感光体ドラム１３と対向させて回転自在に配設された転写部材としての転写ローラ３３を備える。
【００２３】
そして、用紙搬送路Ｒｔ１における画像形成部Ｋａより下流側には、定着装置としての定着器３５が配設される。該定着器３５は、第１の定着部材としての加熱ローラＲｈ及び第２の定着部材としてのバックアップローラＲｐを備え、定着器３５において、ロール紙に転写されたカラーのトナー像が、加熱され、加圧されてロール紙に定着させられ、ロール紙にカラーの画像が形成される。
【００２４】
また、用紙搬送路Ｒｔ１における定着器３５より下流側には、排出ローラ対ｍ４が配設され、カラーの画像が形成されたロール紙は、排出ローラ対ｍ４によって、筐体Ｃｓに形成された前記排出口ｈｅから装置本体外に排出される。
【００２５】
なお、ｓｎ１は第３の搬送ローラ対ｍ３に隣接させて配設された書出センサ、ｓｎ２は排出ローラ対ｍ４に隣接させて配設された排出センサである。
【００２６】
次に、前記構成のプリンタ１０の動作について説明する。
【００２７】
前記フィーダユニットＦｄにおいて、ロール紙が、第１、第２の搬送ローラ対ｍ１、ｍ２によって搬送され、プリンタ１０の装置本体内に送られ、更に第３の搬送ローラ対ｍ３によって搬送されて画像形成部Ｋａに送られる。そして、ロール紙は、各画像形成ユニット１２Ｙ、１２Ｍ、１２Ｃの感光体ドラム１３と転写ローラ３３との間を搬送される。
【００２８】
一方、各画像形成ユニット１２Ｙ、１２Ｍ、１２Ｃにおいては、感光体ドラム１３の表面が、前記帯電ローラ１４によって一様に帯電させられ、ＬＥＤヘッド３０によって露光され、感光体ドラム１３上に静電潜像が形成される。  
【００２９】
また、トナーカートリッジ２０からトナー供給ローラ１８に供給されたトナーは、トナー供給ローラ１８の回転に伴って現像ローラ１６に供給され、現像ローラ１６上において現像ブレード１９によって薄層化され、感光体ドラム１３上の静電潜像に静電的に付着させられて各色のトナー像を形成する。
【００３０】
そして、前記各転写ローラ３３に所定の電圧が印加されて発生させられた静電気力によって、各感光体ドラム１３上に形成された各色のトナー像が、順次、ロール紙に重ねて転写され、カラーのトナー像が形成される。
【００３１】
続いて、ロール紙は定着器３５に送られ、該定着器３５において、カラーのトナー像が、加熱ローラＲｈによって加熱され、バックアップローラＲｐによってロール紙に押し付けられてロール紙に定着させられて、カラーの画像が形成される。そして、前記定着器３５から排出されたロール紙は、排出ローラ対ｍ４によって排出口ｈｅから装置本体外に排出される。
【００３２】
次に、トップカバー４１について説明する。
【００３３】
図４は本発明の実施の形態におけるトップカバーを開いたときのプリンタの斜視図、図５は本発明の実施の形態におけるトップカバーの要部斜視図である。
【００３４】
図において、１０はプリンタ、Ｑ１は本体部、Ｆｄはフィーダユニット、４１は本体部Ｑ１に対して矢印Ａ方向に開閉自在に配設されたトップカバー、ｈｇはトップカバー４１を揺動自在に支持する支持部としてのヒンジである。該ヒンジｈｇは、トップカバー４１を開閉するために回動させるときの回転支点となる。
【００３５】
また、Ｔｃは前記トップカバー４１の内側に配設されたトップカバーアッセンブリ、Ｓｃは、トップカバー４１の内側において、前記トップカバーアッセンブリＴｃと隣接させて配設されたサブアッセンブリである。
【００３６】
本体部Ｑ１内に画像形成ユニット１２Ｙ、１２Ｍ、１２Ｃが着脱自在に配設される。
【００３７】
前記トップカバーアッセンブリＴｃは、トップカバー４１の内壁に取り付けられた内フレーム４３、該内フレーム４３に対して揺動自在に、かつ、トップカバー４１から本体部Ｑ１内に向けて突出させて配設された三つのヘッドホルダアッセンブリ４５、該各ヘッドホルダアッセンブリ４５の剛性を高くするためのプレートトップ４６等を備え、前記ヘッドホルダアッセンブリ４５の先端にＬＥＤヘッド３０が配設される。
【００３８】
なお、各ヘッドホルダアッセンブリ４５は、トップカバー４１が図４に示されるように開かれているときに、トップカバー４１の内壁とほぼ平行になるように倒され、トップカバー４１を閉じるためにヒンジｈｇを中心にしてわずかに回動させると、図５に示されるように、トップカバー４１の内壁に対してほぼ垂直に起こされる。
【００３９】
次に、ヘッドホルダアッセンブリ４５について説明する。
【００４０】
図６は本発明の実施の形態におけるヘッドホルダアッセンブリの斜視図、図７は本発明の実施の形態における各ヘッドホルダアッセンブリが対応する画像形成ユニットにセットされた状態を示す図、図８は本発明の実施の形態におけるトップカバーが閉じられたときのヘッドホルダアッセンブリの状態を示す第１の図、図９は本発明の実施の形態におけるトップカバーが閉じられたときのヘッドホルダアッセンブリの状態を示す第２の図、図１０はトップカバーを回動させたときのヘッドホルダアッセンブリの状態を示す参考図、図１１は本発明の実施の形態におけるハウジングに形成された規制突起の例を示す図である。なお、図７においては、便宜上トップカバー４１を図示していない。また、図８及び９は、ヘッドホルダアッセンブリ４５が画像形成ユニット１２Ｙにセットされた状態を示していて、図８においてヘッドホルダアッセンブリ４５は図６のＡ−Ａ側面図、図９においてヘッドホルダアッセンブリ４５は図６のＢ−Ｂ断面図である。
【００４１】
図において、１２Ｙ、１２Ｍ、１２Ｃは、ロール紙の幅方向に延在させて、装置本体に対して着脱自在に配設された画像形成ユニット、４１はトップカバー、４５はロール紙の幅方向に延在させて配設されたヘッドホルダアッセンブリである。
【００４２】
前記画像形成ユニット１２Ｙ、１２Ｍ、１２Ｃはハウジング８０を備え、該ハウジング８０内に、感光体ドラム１３、帯電ローラ１４、現像ローラ１６等が収容され、画像形成ユニット１２Ｙ、１２Ｍ、１２Ｃに対して前記トナーカートリッジ２０が着脱自在に配設される。
【００４３】
また、前記ハウジング８０における感光体ドラム１３と対向する箇所に、トップカバー４１を閉じたときにヘッドホルダアッセンブリ４５の下端部を収容する凹部８１が形成される。
【００４４】
前記ヘッドホルダアッセンブリ４５は、前記内フレーム４３に取り付けられた支持部材としてのヘッドホルダ５１、及び該ヘッドホルダ５１と連結させられ、かつ、ヘッドホルダ５１に対して揺動自在に支持された前記ＬＥＤヘッド３０を備え、ヘッドホルダアッセンブリ４５が、対応する画像形成ユニット１２Ｙ、１２Ｍ、１２Ｃにセットされると、各ＬＥＤヘッド３０が感光体ドラム１３に対向させられる。
【００４５】
前記ヘッドホルダ５１の内フレーム４３側の縁部（以下「上縁部」という。）ｅｇ１の両端には、ヘッドホルダアッセンブリ４５を前記内フレーム４３に対して揺動自在に支持するための突起５７が突出させて形成され、該突起５７が、内フレーム４３に形成された係合孔ｈ０と係合させられる。
【００４６】
また、前記ヘッドホルダ５１のＬＥＤヘッド３０側の縁部（以下「下縁部」という。）ｅｇ２の両端には、ＬＥＤヘッド３０をヘッドホルダ５１に対して揺動自在に支持するための係止突起５８が突出させて形成される。
【００４７】
ヘッドホルダ５１とＬＥＤヘッド３０との間の、ロール紙の幅方向における２箇所に、ＬＥＤヘッド３０を、対応する画像形成ユニット１２Ｙ、１２Ｍ、１２Ｃの感光ドラム１３に向けて付勢する付勢部材としてのスプリング６１が配設され、該スプリング６１は、前記ヘッドホルダ５１の下縁部ｅｇ２に形成された凹部６３に収容される。
【００４８】
前記ＬＥＤヘッド３０は、断面が矩形の形状を有する箱状体から成る支持部材としてのレンズホルダ５５、該レンズホルダ５５に取り付けられ、レンズホルダ５５によって支持されたレンズアレイ５６、前記レンズホルダ５５内に配設された図示されないＬＥＤアレイ等を備える。ＬＥＤアレイの各ＬＥＤを駆動することによって発生させられた光は、レンズアレイ５６によって収束され、感光体ドラム１３の表面を照射し、静電潜像を形成する。
【００４９】
前記レンズホルダ５５は、ロール紙の搬送方向における下流側に形成された前壁部Ｈｆ、ロール紙の搬送方向における上流側に形成された背壁部Ｈｒ、ロール紙における幅方向の両端に形成された側壁部Ｈｓ１、Ｈｓ２、及び感光体ドラム１３と対向させて形成された底壁部Ｈｂを有し、レンズホルダ５５の長手方向における両端、すなわち、側壁部Ｈｓ１、Ｈｓ２に、前記係止突起５８と係止させられる係止孔ｈ１が形成される。該係止孔ｈ１と係止突起５８とを係止させることによって、ＬＥＤヘッド３０はヘッドホルダ５１に対して揺動自在に支持される。
【００５０】
また、前記レンズホルダ５５の底壁部Ｈｂには、底壁部Ｈｂから側壁部Ｈｓ１にかけて第１の位置決め孔ｈ２が、側壁部Ｈｓ２より所定の距離だけ中央寄りに第２の位置決め孔ｈ３が形成される。そして、前記各画像形成ユニット１２Ｙ、１２Ｍ、１２Ｃのハウジング８０に形成された凹部８１の底面８３に、前記第１、第２の位置決め孔ｈ２、ｈ３に向けて位置決めポスト８５が突出させて形成される。トップカバー４１を閉じると、第１、第２の位置決め孔ｈ２、ｈ３内に位置決めポスト８５が進入させられ、第１、第２の位置決め孔ｈ２、ｈ３と位置決めポスト８５とが係止させられ、ロール紙の搬送方向において各ＬＥＤヘッド３０が、それぞれ画像形成ユニット１２Ｙ、１２Ｍ、１２Ｃに対して位置決めされる。
【００５１】
また、レンズホルダ５５の底壁部Ｈｂには、第１、第２の位置決め孔ｈ２、ｈ３より中央側に、第１、第２の位置決め孔ｈ２、ｈ３に隣接させて、半円形の形状を有する位置決め突起７１、７２が感光体ドラム１３に向けて突出させて形成される。そして、トップカバー４１を閉じると、位置決め突起７１、７２が前記凹部８１の底面８３に当接させられ、高さ方向においてＬＥＤヘッド３０が感光体ドラム１３に対して位置決めされる。これにより、レンズホルダ５５内の各ＬＥＤの発光面とレンズアレイ５６の入射面との間の入射距離Ｌｉｎと、レンズアレイ５６の放射面と感光体ドラム１３の表面との間の放射距離Ｌｏｕｔとを等しくすることができ、感光体ドラム１３の表面を適正に露光し、静電潜像を精度良く形成することができる。
【００５２】
ところで、トップカバー４１を閉じて各ヘッドホルダアッセンブリ４５を対応する画像形成ユニット１２Ｙ、１２Ｍ、１２Ｃにセットする場合、トップカバー４１の回動を開始すると、図５に示されるように、ヘッドホルダアッセンブリ４５はトップカバー４１の内壁に対してほぼ垂直に起こされる。したがって、トップカバー４１の回動に伴ってヘッドホルダアッセンブリ４５の所定の箇所、例えば、レンズホルダ５５のコーナ部７５が描く軌跡は、図１０に示されるような、ヒンジｈｇを中心とする円弧Ａｃ１になる。
【００５３】
したがって、レンズホルダ５５のコーナ部７５が装置本体の所定の部位、例えば、隣接する画像形成ユニット１２Ｍのハウジング８０に当たらないようにするためには、円弧Ａｃ１の径に応じて、画像形成ユニット１２Ｙ、１２Ｍ間、すなわち、画像形成ユニット１２Ｙのハウジング８０における前面Ｓｆと、画像形成ユニット１２Ｍのハウジング８０における背面Ｓｒとの間に十分な距離を置く必要があり、プリンタ１０が大型化してしまう。
【００５４】
そこで、画像形成ユニットの前面Ｓｆと、隣接する画像形成ユニットの背面Ｓｒとの間の距離を短くするために、本実施の形態においては、前述されたように、ＬＥＤヘッド３０が、ヘッドホルダ５１に対して揺動自在に支持され、トップカバー４１を閉じるために回動させている間、ヘッドホルダ５１に対して画像形成ユニット１２Ｙ、１２Ｍ、１２Ｃ側に傾斜させられるようになっている。
【００５５】
そのために、前記ヘッドホルダ５１に、スプリング６１を保持する付勢部材保持部としてのスプリング座７７が、ヒンジｈｇを回転支点としたときの、ＬＥＤヘッド３０よりヒンジｈｇに近い部材、本実施の形態においては、現像ローラ１６に向けて傾斜させて形成される。これにより、トップカバー４１が回動させられている間、スプリング６１はスプリング座７７と同じ角度で画像形成ユニット１２Ｙ側に傾斜させられる。
【００５６】
また、トップカバー４１が閉じられたときに、ＬＥＤヘッド３０が画像形成ユニット１２Ｙ側に傾いたままにならないように、すなわち、ＬＥＤヘッド３０が、スプリング６１の付勢力によって凹部８１の底面８３に向けて確実に付勢され、高さ方向において感光体ドラム１３に対して位置決めされるように、スプリング６１の付勢方向が規制され、それに伴って、スプリング６１の傾き及びＬＥＤヘッド３０の傾きが規制される。
【００５７】
そのために、各画像形成ユニット１２Ｙ、１２Ｍ、１２Ｃのハウジング８０におけるヘッドホルダアッセンブリ４５と対向する前面Ｓｆの所定の箇所、本実施の形態においては、ロール紙の幅方向における２箇所に、図１１に示されるような規制部としての規制突起Ｐｒ１、Ｐｒ２が、高さ方向に延在させて、かつ、ヘッドホルダアッセンブリ４５に向けて突出させて形成される。前記規制突起Ｐｒ１、Ｐｒ２は、トップカバー４１を回動させているときのスプリング６１の延長線上に形成され、トップカバー４１が閉じられると、ＬＥＤヘッド３０のレンズホルダ５５の背壁部Ｈｒを押圧し、ＬＥＤヘッド３０の傾きを規制する。
【００５８】
そして、トップカバー４１が閉じられた状態で、スプリング６１は、規制突起Ｐｒ１、Ｐｒ２によってスプリング座７７の先端より感光体ドラム１３側の部分が変形させられ、スプリング座７７を包囲して傾斜させて延在させられる傾斜部位６１ａ、及び該傾斜部位６１ａの下方において感光体ドラム１３に向けて鉛直に延在させられる鉛直部位６１ｂを形成する。
【００５９】
次に、トップカバー４１を開閉するためにトップカバー４１を回動させたときのヘッドホルダアッセンブリ４５について説明する。
【００６０】
図１は本発明の実施の形態におけるトップカバーを回動させたときのヘッドホルダアッセンブリの状態を示す図である。
【００６１】
図において、Ｑ１は本体部、４１はトップカバー、１２Ｙ、１２Ｍは画像形成ユニット、３０はＬＥＤヘッド、４５はヘッドホルダアッセンブリ、５１はヘッドホルダ、５５はレンズホルダである。
【００６２】
この場合、トップカバー４１を閉じてヘッドホルダアッセンブリ４５を対応する画像形成ユニット、例えば、画像形成ユニット１２Ｙにセットする場合、前述されたように、トップカバー４１の回動を開始すると、ヘッドホルダアッセンブリ４５において、ヘッドホルダ５１がトップカバー４１の内壁に対してほぼ垂直に起こされ、トップカバー４１を回動させている間、スプリング６１（図９）はスプリング座７７と同じ角度で画像形成ユニット１２Ｙ側に傾斜させられる。
【００６３】
すなわち、トップカバー４１を閉じるために回動させている間、スプリング６１は、スプリング座７７と同じ角度で現像ローラ１６に向けて傾斜させられ、それに伴って、ＬＥＤヘッド３０が、画像形成ユニット１２ＹにおけるＬＥＤヘッド３０と対向する面、すなわち、ハウジング８０の前面Ｓｆに向けて傾斜させられ、スプリング６１の付勢力によって付勢される。
【００６４】
これにより、トップカバー４１の回動に伴ってヘッドホルダアッセンブリ４５の所定の箇所、例えば、レンズホルダ５５のコーナ部７５が描く軌跡は、図に示されるような、ヒンジｈｇを中心とする、径の小さい円弧Ａｃ２になる。
【００６５】
このように、トップカバー４１を回動させたときのＬＥＤヘッド３０の軌跡Ａｃ２の径を小さくすることができるので、レンズホルダ５５のコーナ部７５が装置本体の所定の部位、例えば、隣接する画像形成ユニット１２Ｍのハウジング８０の背面Ｓｒに当たることなくヘッドホルダアッセンブリ４５をセットすることができる。したがって、画像形成ユニット１２Ｙのハウジング８０における前面Ｓｆと、画像形成ユニット１２Ｍのハウジング８０における背面Ｓｒとの間の距離を短くすることができるので、プリンタ１０を小型化することができる。
【００６６】
また、ヘッドホルダ５１とＬＥＤヘッド３０との間にスプリング６１を配設するだけで、ＬＥＤヘッド３０が、対応する画像形成ユニット１２Ｙ、１２Ｍ、１２Ｃの感光体ドラム１３に向けて、かつ、対応する画像形成ユニット１２Ｙ、１２Ｍ、１２ＣにおけるＬＥＤヘッド３０と対向する前面Ｓｆに向けて付勢されるので、スプリング６１を構成する部品点数を少なくすることができ、ＬＥＤヘッド３０を容易に実装することができる。
【００６７】
そして、ＬＥＤヘッド３０が、対応する画像形成ユニット１２Ｙ、１２Ｍ、１２Ｃにセットされたときに、スプリング６１がＬＥＤヘッド３０を付勢力によって感光体ドラム１３に向けて付勢するので、トップカバー４１を閉じたときに、ＬＥＤヘッド３０は、ロール紙の搬送方向に倒れることなく、画像形成ユニット１２Ｙ、１２Ｍ、１２Ｃに対して正しく位置決めされる。
【００６８】
したがって、ＬＥＤヘッド３０によって感光体ドラム１３を精度良く露光することができるので、画像品位を向上させることができる。
【００６９】
本実施の形態においては、プリンタ１０について説明したが、本発明を複写機、ファクシミリ、複合機等の画像形成装置に適用することができる。
【００７０】
なお、本発明は前記実施の形態に限定されるものではなく、本発明の趣旨に基づいて種々変形させることが可能であり、それらを本発明の範囲から排除するものではない。
【符号の説明】
【００７１】
１０    プリンタ
１２Ｙ、１２Ｍ、１２Ｃ    画像形成ユニット
１３    感光体ドラム
３０    ＬＥＤヘッド
４１    トップカバー
４５    ヘッドホルダアッセンブリ
５１    ヘッドホルダ
６１    スプリング
ｈｇ    ヒンジ
Ｑ１    本体部
Ｓｆ    前面
【図１】
0006988621.tif 000002
【図２】
0006988621.tif 000003
【図３】
0006988621.tif 000004
【図４】
0006988621.tif 000005
【図５】
0006988621.tif 000006
【図６】
0006988621.tif 000007
【図７】
0006988621.tif 000008
【図８】
0006988621.tif 000009
【図９】
0006988621.tif 000010
【図１０】
0006988621.tif 000011
【図１１】
0006988621.tif 000012